(57)【要約】【課題】機体を前後方向で複数に分割し、前方の機体の後端に後方の機体の前端が嵌入して、隙間を存して嵌合する、すなわち遊嵌させて相互の嵌合部で屈曲可能とするのに、簡単な構成をシールド機に付加するだけで、土砂等の浸入を確実に防止できるオープンシールド機を提供する。【解決手段】左右側壁板と底板からなる機体を前後方向でフロント部とテール部に分割し、フロント部の後端にテール部の前端を嵌入させ、フロント部に後方へ向けて中折ジャッキを設けてフロント部とテール部が相互の嵌合部で屈曲可能とした中折れ部を形成したオープンシールド機において、中折れ部側方に、フロント部後端に前端が固定されてテール部前端に覆い被さる側方土砂侵入防止板を設けた。【選択図】図１
2019027096.tif 000002
【特許請求の範囲】
【請求項１】
左右側壁板と底板からなる機体を前後方向でフロント部とテール部に分割し、フロント部の後端にテール部の前端を嵌入させ、フロント部に後方へ向けて中折ジャッキを設けてフロント部とテール部が相互の嵌合部で屈曲可能とてした中折れ部を形成したオープンシールド機において、中折れ部側方に、フロント部後端に前端が固定されてテール部前端に覆い被さる側方土砂侵入防止板を設けたことを特徴とするオープンシールド機。
【請求項２】
側方土砂侵入防止板は、フロント部側壁板より一段奥に位置する取付受板を突設し、この取付受板に前端が固定されることで、フロント部側壁外周面よりも張り出さないで設けることができる請求項１記載のオープンシールド機。
【請求項３】
フロント部の後端に嵌入するテール部の前端は外側面を前後方向に円弧とした請求項１または請求項２記載のオープンシールド機。
【発明の詳細な説明】
【技術分野】
【０００１】
本発明は、オープンシールド工法に使用するオープンシールド機に関するものである。
【背景技術】
【０００２】
周知のごとくオープンシールド工法は、開削工法（オープン工法）とシールド工法の長所を生かした合理性に富む工法であり、このオープンシールド工法では、シールド機を前方の機体の後端に後方の機体の前端が嵌入して、相互の嵌合部で屈曲可能としてカーブ施工を可能としたり、方向修正を行えるようにしたものがある。
【０００３】
その一例を説明すると、オープンシールド機１は、図５に示すように基本的には左右の側壁板１ａ，１ｂとこれら側壁板１ａ，１ｂと同程度の長さでその間を連結する底板１ｃとからなる前面、後面及び上面を開口したシールド機である。
【０００４】
該オープンシールド機１は図６に示すように機体を前後方向で複数に分割し、フロント部２としての前方の機体の後端にテール部３としての後方の機体の前端が嵌入して、相互の嵌合部で屈曲可能とした。
【０００５】
フロント部２は主として掘削を行うもので、前端と上面を開放面としてあり、機体内で後部に後方へ向けて中折ジャッキ４を左右によせて、また上下複数段に配設している。
【０００６】
これに対してテール部３はコンクリート函体８の設置を行うもので、機体内で前部に後方へ向けてシールドジャッキ５を左右によせて、また上下複数段に配設したジャッキ部１７と、その後方でスペースを確保した函体吊下し部１８を構成している。
【０００７】
図中６はフロント部２の前端に設けた可動分割刃口、７はテール部３の後端に設けた側方土留板、９はストラット、１０はプレスバー（押角）である。
【０００８】
このようなオープンシールド機１を使用するオープンシールド工法は、図７〜図１０に示すように、発進坑と到達坑との間で施工される。発進坑１１内で前記オープンシールド機を組立て、発進坑１１の前の地盤を地上に設置したシャベル系の掘削機１２で掘削し、該オープンシールド機１のシールドジャッキ５を伸長して発進坑１１内の反力壁に反力をとってオープンシールド機１を前進させ、地下構造物を形成する第１番目のコンクリート函体８を上方から吊り降し、オープンシールド機１のテール部３内で縮めたシールドジャッキ５の後方にストラット９およびプレスバー１０とともにセットする。
【０００９】
また、発進坑１１はシートパイル等の土留壁で構成し、オープンシールド機１を発進させるにはこの土留壁を一部鏡切りするが、必要に応じて薬液注入等で発進坑１１の前方部分に地盤改良を施しておくこともある。
【００１０】
次いで、同様に掘削機１２でフロント部２の前面又は上面から土砂を掘削し、かつ排土してオープンシールド機１を前進させ、前記第１番目のコンクリート函体８の前に第２番目のコンクリート函体８をテール部３内に吊り降す。
【００１１】
以下、同様の掘進及びコンクリート函体８のセット工程を繰返して、順次コンクリート函体８を縦列に地中に埋設し、後方のコンクリート函体８上にダンプ１４で埋戻しを施し、オープンシールド機１が到達坑１３まで達したならばこれを分解・撤去して工事を完了する。図中１５はグラウト機である。
【００１２】
ところで、オープンシールド機１の掘進はシールドジャッキ５を伸長だけでなく、このシールドジャッキ５を固定して中折ジャッキ４の伸長でテール部３に対してフロント部２を進めることでも行なわれ、シールドジャッキ５と中折ジャッキ４との２段階で押し進める。
【００１３】
その際、中折ジャッキ４のうち、左右いずれかを多く伸長させればフロント部２はその反対側に向きを変え、その方向に曲がる。また、上下いずれかを多く伸長させればフロント部２はその反対側に向きを変え、上向きまたは下向きに曲がる。このようにしたカーブ施工または方向修正が可能である。
【００１４】
しかし、前記従来のシールド機では、フロント部の後端にテール部の前端が隙間を存して嵌合するすなわち遊嵌するものであり、隙間から地下水や土砂が入り込み、その結果として屈曲のための余裕空間を無くしたりするおそれがあった。
【００１５】
下記特許文献は簡単な構成をシールド機に付加するだけで、地下水や土砂等の浸入を確実に防止できるオープンシールド機として提案されたものである。
【特許文献１】特許第５２３１５０８号公報
【００１６】
前記特許文献１は、機体を前後方向でフロント部とテール部に分割し、フロント部の後端にテール部の前端が嵌入して、相互の嵌合部で屈曲可能としたオープンシールド機において、フロント部とテール部３が接合する中折れ部にワイヤーブラシを配設したものである。
【００１７】
特許文献１によれば、フロント部の後端にテール部３の前端が隙間を存して嵌合するすなわち遊嵌する隙間には、ワイヤーブラシが配設してあり、これが地下水や土砂が入り込みを阻止する。
【発明の概要】
【発明が解決しようとする課題】
【００１８】
前記特許文献１は、ワイヤーブラシで地下水や土砂が入り込むことを防止するものであるが、確実に地下水や土砂の入り込みを阻止するにはワイヤーブラシを２連に設ける必要があり、また、フロント部には隔壁を設け、テール部にテール部前端隔壁を設け、この隔壁で仕切ることで、より地下水や土砂の浸入を阻止する必要がある。
【００１９】
本発明の目的は前記従来例の不都合を解消し、機体を前後方向で複数に分割し、前方の機体の後端に後方の機体の前端が嵌入して、隙間を存して嵌合する、すなわち遊嵌させて相互の嵌合部で屈曲可能とするのに、簡単な構成をシールド機に付加するだけで、土砂等の浸入を確実に防止できるオープンシールド機を提供することにある。
【課題を解決するための手段】
【００２０】
前記目的を達成するため請求項１記載の本発明は、左右側壁板と底板からなる機体を前後方向でフロント部とテール部に分割し、フロント部の後端にテール部の前端を嵌入させ、フロント部に後方へ向けて中折ジャッキを設けてフロント部とテール部が相互の嵌合部で屈曲可能とした中折れ部を形成したオープンシールド機において、中折れ部側方に、フロント部後端に前端が固定されてテール部前端に覆い被さる側方土砂侵入防止板を設けたことを要旨とするものである。
【００２１】
請求項１記載の本発明によれば、側方土砂侵入防止板を設けることにより、この側方土砂侵入防止板がフロント部とテール部が相互の嵌合部での開口を塞ぎ、土砂等の浸入を確実に防止することができる。
【００２２】
請求項２記載の本発明は、側方土砂侵入防止板は、フロント部側壁板より一段奥に位置する取付受板を突設し、この取付受板に前端が固定されることで、フロント部側壁外周面よりも張り出さないで設けることができることを要旨とするものである。
【００２３】
側方土砂侵入防止板がオープンシールド機に局部的に取り付けられていてその鉄板の厚み分だけ機幅よりも広い構造となると、掘進時、側部地山をオーバーカットすることになる。掘進と共に地山を引っ張りやすい。又は側部地山を圧密して、側方地盤隆起を惹起する。さらに、側方土砂侵入防止板分通過後、側部地山が緩む。
【００２４】
請求項２記載の本発明によれば、側方土砂侵入防止板厚さ分の張出しが解消されるため、側部地山をオーバーカット・圧密を無くすことができ、側部地山が緩みを最小限に抑えることができる。
【００２５】
請求項３記載の本発明は、フロント部の後端に嵌入するテール部の前端は外側面を前後方向に円弧としたことを要旨とするものである。
【００２６】
請求項３記載の本発明によれば、フロント部の後端に嵌入するテール部の前端は外側面を前後方向に円弧としたので、この円弧面がフロント部の後端内側に接し、線接触に近い少ない接触面積で、屈曲をスムーズに行うことができる。
【発明の効果】
【００２７】
以上述べたように本発明のオープンシールド機は、機体を前後方向で複数に分割し、前方の機体の後端に後方の機体の前端が嵌入して、隙間を存して嵌合する、すなわち遊嵌させて相互の嵌合部で屈曲可能とするのに、簡単な構成をシールド機に付加するだけで、地下水や土砂等の浸入を確実に防止できるものである。
【発明を実施するための形態】
【００２８】
以下、図面について本発明の実施の形態を詳細に説明する。図１は本発明のオープンシールド機の第１実施形態を示す部分平面図、図２は同上要部の拡大平面図である。
【００２９】
オープンシールド機１の全体は前記図６に示すように機体を前後方向で複数に分割し、テール部３の前端は縮径してフロント部２の後端に入り込むもので、これによりフロント部２とテール部３との間には隙間が確保され、これが中折れ部１６となる。
【００３０】
フロント部２は可動分割刃口６を有する前端と上面を開放面としてあり、機体内で後方へ向けて中折ジャッキ４を左右によせて、また上下複数段に配設した。図中１９は可動分割刃口６のスライドジャッキである。
【００３１】
一方、テール部３は機体内で前部に後方へ向けてシールドジャッキ５を左右によせて、また上下複数段に配設したジャッキ部１７と、その後方でスペースを確保した函体吊下し部１８を構成している。
【００３２】
本発明は、テール部３の前端は縮径してフロント部２の後端に入り込むが、この部分の外側面を前後方向に円弧２２とした。
【００３３】
また、中折れ部１６の側方に、その開口を覆うように鉄板による側方土砂侵入防止板２１を設けた。
【００３４】
この側方土砂侵入防止板２１は前端がフロント部２の後端に前端が固定されてテール部３の前端で前記縮径した部分の後方で縮径しない部分の外周に覆い被さるものである。
【００３５】
図示の例では、側方土砂侵入防止板２１はオープンシールド機１に局部的に取り付けられるもので、その鉄板の厚み分だけ機幅よりも張り出した広い構造となる。すなわち、側方土砂侵入防止板２１の前端角部は突き出ている。
【００３６】
図３、図４は本発明の第２実施形態を示すもので、側方土砂侵入防止板２１は、フロント部２の側壁板２ａより一段奥に位置する取付受板２０を突設し、この取付受板２０に前端が固定されることで、フロント部２の側壁板２ａの外周面よりも張り出さないで設けるようにした。
【００３７】
また、テール部３の前端で前記縮径した部分の後方で縮径しない部分の外周には、凹部２３を形成し、この凹部２３で側方土砂侵入防止板２１の厚み分を受け入れた。
【００３８】
このようにして側方土砂侵入防止板２１は図４に示すようにフロント部２の側壁板２ａの面一となり、また、テール部３の面一となり、オープンシールド機１の側方はフラットなものとなる。
【００３９】
このようにして、オープンシールド機１は機体を前後方向で複数に分割し、前方の機体の後端に後方の機体の前端が嵌入して、隙間を存して嵌合する、すなわち遊嵌させて相互の嵌合部で屈曲可能とするのに、側方土砂侵入防止板２１を設けることで、土砂の侵入を防ぐことができる。
【図面の簡単な説明】
【００４０】
【図１】本発明のオープンシールド機の第１実施形態を示す部分平面図である。
【図２】本発明のオープンシールド機の第１実施形態を示す要部の拡大平面図である。
【図３】本発明のオープンシールド機の第２実施形態を示す部分平面図である。
【図４】本発明のオープンシールド機の第２実施形態を示す要部の拡大平面図である。
【図５】オープンシールド機の概要を示す縦断正面図である。
【図６】オープンシールド機の概要を示す縦断側面図である。
【図７】オープンシールド工法の第１工程を示す側面図である。
【図８】オープンシールド工法の第２工程を示す側面図である。
【図９】オープンシールド工法の第３工程を示す側面図である。
【図１０】オープンシールド工法の第４工程を示す側面図である。
【符号の説明】
【００４１】
１…オープンシールド機
１ａ，１ｂ…側壁板              １ｃ…底板
２…フロント部                  ２ａ…側壁板
３…テール部                    ４…中折ジャッキ
５…シールドジャッキ            ６…可動分割刃口
７…側方土留板                  ８…コンクリート函体
９…ストラット                  １０…プレスバー
１１…発進坑                    １２…掘削機
１３…到達坑                    １４…ダンプ
１５…グラウト機                １６…中折れ部
１７…ジャッキ部                １８…函体吊下し部
１９…スライドジャッキ          ２０…取付受板
２１…側方土砂侵入防止板        ２２…円弧
２３…凹部
【図１】
2019027096.tif 000003
【図２】
2019027096.tif 000004
【図３】
2019027096.tif 000005
【図４】
2019027096.tif 000006
【図５】
2019027096.tif 000007
【図６】
2019027096.tif 000008
【図７】
2019027096.tif 000009
【図８】
2019027096.tif 000010
【図９】
2019027096.tif 000011
【図１０】
2019027096.tif 000012